(57)【要約】【課題】  加熱調理装置本体に読取装置を設けることなく被加熱物に付されたコードに含まれる加熱条件を読み取って加熱を行うことを既存の構成を利用して低コストで実現することができるようにした加熱調理システムを提供する。【解決手段】  電子レンジ２は、携帯電話機３から加熱情報を赤外線信号により受信可能に構成される。携帯電話機３は、食品２９に付されたＱＲコード３０をカメラ機能で読取り、食品情報を抽出する。食品情報に対応する電子レンジ２の加熱条件が加熱情報としてデータサーバ４ｂに記憶されている。携帯電話機３によりインターネット５を介して加熱情報を取得し、これを赤外線信号で電子レンジ２に送信する。電子レンジ２には、食品２９の加熱情報が提供されるので、適切な加熱条件で加熱をすることができる。【選択図】  図１
2006275489.tif 000002
【特許請求の範囲】
【請求項１】
携帯端末装置および加熱調理装置から構成され、
前記携帯端末装置は、
食品情報を含んだコードを撮影可能な撮像手段と、
この撮像手段により撮影された画像データから前記コードを識別する識別手段と、
この識別手段により識別された前記コードを復号する復号手段と、
この復号手段により復号された前記コードの情報から前記食品情報を抽出する食品情報抽出手段と、
この食品情報抽出手段により抽出された前記食品情報から被加熱物の加熱情報を取得する加熱情報取得手段と、
この加熱情報取得手段により得られた前記加熱情報を前記加熱調理装置に送信する加熱情報送信手段とを備え、
前記加熱調理装置は、
前記被加熱物を加熱する加熱手段と、
前記加熱情報を受信可能な加熱情報受信手段と、
この加熱情報受信手段により受信された前記加熱情報に基づいて前記加熱手段による前記被加熱物の加熱を制御する加熱制御手段とを備えたことを特徴とする加熱調理システム。
【請求項２】
請求項１に記載の加熱調理システムにおいて、
前記加熱情報取得手段は、前記食品情報に含まれている前記加熱情報を取得するように構成されていることを特徴とする加熱調理システム。
【請求項３】
請求項１または２に記載の加熱調理システムにおいて、
前記携帯端末装置から通信網を介して接続可能に設けられ、前記食品情報を受信すると、これに対応した前記加熱情報を提供する加熱情報提供手段を備え、
前記加熱情報取得手段は、前記食品情報に対応した前記加熱情報を前記加熱情報提供手段から取得するように構成されていることを特徴とする加熱調理システム。
【請求項４】
請求項１ないし３のいずれかに記載の加熱調理システムにおいて、
前記携帯端末装置から通信網を介して接続可能に設けられ、前記食品情報抽出手段および前記加熱情報取得手段をアプリケーションソフトウェアとして提供するアプリケーション提供手段を備え、
前記携帯端末装置は、前記食品情報抽出手段および前記加熱情報取得手段について前記アプリケーション提供手段から提供を受けたものであることを特徴とする加熱調理システム。
【請求項５】
請求項１ないし４のいずれかに記載の加熱調理システムにおいて、
前記加熱情報送信手段は、前記加熱情報を赤外線信号として送信するように構成され、
前記加熱情報受信手段は、前記加熱情報を赤外線信号として受信するように構成されていることを特徴とする加熱調理システム。
【請求項６】
請求項１ないし５のいずれかに記載の加熱調理システムにおいて、
前記携帯端末装置は、
前記撮像手段が撮影した機種情報を含んだコードについて前記復号手段により復号された情報から機種情報を抽出する機種情報抽出手段と、
前記加熱情報取得手段により取得した前記加熱情報を前記機種情報抽出手段により抽出された前記機種情報に基づいて機種対応加熱情報に変換する加熱情報変換手段とを備え、
前記加熱情報送信手段は、前記加熱情報変換手段により変換された前記機種対応加熱情報を前記加熱情報受信手段に送信することを特徴とする加熱調理システム。
【請求項７】
請求項６に記載の加熱調理システムにおいて、
前記携帯端末装置は、前記機種情報抽出手段により抽出された前記機種情報を記憶する機種情報記憶手段を備え、
前記加熱情報変換手段は、前記機種情報記憶手段に記憶された前記機種情報に基づいて前記加熱情報を変換することを特徴とする加熱調理システム。
【請求項８】
請求項１ないし５のいずれかに記載の加熱調理システムにおいて、
前記携帯端末装置から通信網を介して接続可能に設けられ、前記加熱調理装置の機種情報および前記食品情報を受信すると、その機種に対応した機種対応加熱情報を提供する加熱情報提供手段を備え、
前記携帯端末装置は、
前記撮像手段が撮影した機種情報を含んだコードについて前記復号手段により復号された情報から機種情報を抽出する機種情報抽出手段を備え、
前記加熱情報取得手段は、前記加熱情報提供手段から、前記食品情報抽出手段により抽出された前記食品情報および前記機種情報抽出手段により抽出された前記機種情報に基づいて前記機種対応加熱情報を取得することを特徴とする加熱調理システム。
【請求項９】
請求項６ないし８のいずれかに記載の加熱調理システムにおいて、
前記携帯端末装置から通信網を介して接続可能に設けられ、前記機種情報抽出手段および前記加熱情報変換手段をアプリケーションソフトウェアとして提供するアプリケーション提供手段を備え、
前記携帯端末装置は、前記機種情報抽出手段および前記加熱情報変換手段について前記アプリケーション提供手段から提供を受けたものであることを特徴とする加熱調理システム。
【発明の詳細な説明】
【技術分野】
【０００１】
本発明は、加熱調理器に対して、食品などの被加熱物の加熱条件をコード化したデータを読み取ることで設定可能とした構成の加熱調理システムに関する。
【背景技術】
【０００２】
加熱調理器である例えば電子レンジにおいては、被加熱物の加熱条件を手動で設定することに代えて、赤外線センサや重量センサなどを用いて被加熱物の温度や重量を検出して適切な加熱条件を自動的に設定するものが供されている。しかし、上記のように赤外線センサや重量センサを用いて自動的に加熱条件を設定するものでは、被加熱物の容器も同時に加熱されることから、必ずしも被加熱物に対する適切な加熱が行えない場合も生ずる。
【０００３】
そこで、被加熱物の容器に販売者側が加熱条件を記載したラベルに、読取器により読み取り可能なコード化した情報を付すことで、使用者が手動で設定することなく読取器により読み取った加熱条件のデータを調理機器に読み込ませることで自動的に加熱条件を設定することができるものが供されている。
このようなものとして、例えば特許文献１に示されるものがある。このものは、電子レンジの加熱室の天井部に読み取り用のカメラを設け、加熱室内に収容された被加熱物に付された加熱条件をデータとして含むコードを読み取るようにしたものである。
【０００４】
なお、カメラでコードに書かれた情報を読み取って利用することは、例えば特許文献２に示されるように、カメラ付き携帯電話機にも用いられており、読み取った情報に基づいてインターネットのサイトにアクセスすることができるように設定されたものである。
【特許文献１】特許第３５８８３３３号公報
【特許文献２】特開２００４−３５００４１号公報
【発明の開示】
【発明が解決しようとする課題】
【０００５】
しかしながら、上記した特許文献１に示される電子レンジでは、天井に設けられたカメラで加熱室の底面に置かれた被加熱物に付されたコードを読み取る場合に、加熱室内のどこに置かれていてもそのコードを正確に読み取るには、視野が広く且つ解像度が高いカメラを設ける必要がある。加えて、カメラ非使用時に、カメラを加熱中の熱や汚れから保護するためのシャッターを設ける必要があり、電子レンジ本体にコード読み取り用のカメラを設けることは、構造が複雑になると共にコストが高くつくという不具合がある。
【０００６】
また、電子レンジに一体にカメラを設けない構成を想定した場合には、そのための読取装置を別途に設ける必要がある。この場合、前述したようにカメラ付き携帯電話機により読み取ることが考えられるが、従来のカメラ付き携帯電話機ではコードを読み取ってウェブサイトを閲覧することはできても、その他の目的で使用するようには作られていない。
【０００７】
本発明は、上記事情を考慮してなされたもので、その目的は、加熱調理装置本体に読取装置を設けることなく被加熱物に付されたコードに含まれる加熱条件を読み取って加熱を行うことを既存の構成を利用して低コストで実現することができるようにした加熱調理システムを提供することにある。
【課題を解決するための手段】
【０００８】
請求項１記載の加熱調理システムは、携帯端末装置および加熱調理装置から構成され、前記携帯端末装置は、食品情報を含んだコードを撮影可能な撮像手段と、この撮像手段により撮影された画像データから前記コードを識別する識別手段と、この識別手段により識別された前記コードを復号する復号手段と、この復号手段により復号された前記コードの情報から前記食品情報を抽出する食品情報抽出手段と、この食品情報抽出手段により抽出された前記食品情報から被加熱物の加熱情報を取得する加熱情報取得手段と、この加熱情報取得手段により得られた前記加熱情報を前記加熱調理装置に送信する加熱情報送信手段とを備え、前記加熱調理装置は、前記被加熱物を加熱する加熱手段と、前記加熱情報を受信可能な加熱情報受信手段と、この加熱情報受信手段により受信された前記加熱情報に基づいて前記加熱手段による前記被加熱物の加熱を制御する加熱制御手段とを備えたことに特徴を有する。
【０００９】
このように構成すると、被加熱物の容器や包装に予め食品情報をコード化して付しておき、加熱調理を行う場合に、このコードを携帯端末装置の撮像手段により撮影すると、携帯端末装置側では、撮影された画像データから識別手段によりコードが識別され、識別されたコードが復号手段により復号される。次に、復号された情報から食品情報抽出手段により食品情報が抽出されて、さらに、抽出された食品情報から加熱情報取得手段により加熱情報が取得される。そして、取得された加熱情報は加熱情報送信手段により加熱調理装置の加熱情報受信手段に送信される。一方、加熱調理装置側では、携帯端末装置の加熱情報送信手段から送信された加熱情報が、加熱調理装置の加熱情報受信手段により受信されると、加熱制御手段は、受信された被加熱物に対応した加熱情報に基づいて加熱手段による被加熱物の加熱を制御することができる。
【発明の効果】
【００１０】
請求項１記載の加熱調理システムによれば、食品に付されたコードから食品情報を得ることや情報を送信することは、コードの読取機能と信号送信機能を有する既存の携帯電話機を利用して行うことができる。
これにより、携帯端末装置としては、既存の携帯電話機に、食品情報抽出手段と加熱条件取得手段を備えるのみでよく、一方、加熱調理装置としても、加熱条件を受信するための加熱条件受信手段を備えるのみでよいので、加熱調理装置本体に読取装置を設けることなく被加熱物に付されたコードに含まれる加熱条件を読み取って加熱を行うことを既存の構成を利用して低コストで実現することができる。
【発明を実施するための最良の形態】
【００１１】
（第１の実施形態）
以下、本発明の第１の実施形態について図1ないし図９を参照して説明する。図１は、加熱調理システムの全体的構成を概略的に示した図である。加熱調理システム１は、電子レンジ２（加熱調理装置に相当）と、携帯電話機３（携帯端末装置に相当）と、アプリケーションサーバ４ａ（アプリケーション提供手段に相当）と、データサーバ４ｂ（加熱情報提供手段に相当）とを備えて構成されている。電子レンジ２は、携帯電話機３から加熱情報を受信可能に構成されている。携帯電話機３は、電子レンジ２から機種情報を読取可能に構成されていると共に、食品２９に付されたＱＲコード３０（図６参照）から食品情報を読取可能に構成されている。このＱＲコード３０は、２次元コードの１つとして普及されつつあるもので、白黒のドットパターンを２次元的に配置してなるコードである。電子レンジ２および携帯電話機３の構成については後述する。アプリケーションサーバ４ａは、インターネット５を介して携帯電話機３によるアクセスが可能に構成されていると共に、後述する機種情報抽出処理、食品情報抽出処理、加熱情報取得処理および加熱情報変換処理のプログラムが格納されている。また、データサーバ４ｂは、インターネット５を介して携帯電話機３によるアクセスが可能に構成されていると共に、被加熱物としての食品のデータである食品情報とその加熱条件を示す加熱情報とが対応付けられた状態で格納されている。具体的に説明すると、例えば食品情報＝「Ｃ弁当」に対応付けられて、加熱情報＝「５００Ｗ１２０秒」が格納されている。
【００１２】
次に、上記した電子レンジ２および携帯電話機３の構成について図２ないし図５を参照して説明する。図２は、電子レンジ２の外観を示した図である。電子レンジ２の本体６内部には前面が開放された矩形箱状の加熱室７が設けられており、この加熱室７の前面開口部は回動可能に取付けられた扉８によって開閉されるようになっている。扉８の下部には操作パネル９が設けられていて、これには、操作部１０、表示部１１および赤外線信号受信部１２（加熱情報受信手段に相当）が備えられている。操作部１０は、加熱開始キーや調理モード選択キーなどを含む複数の操作キー１０ａを備えて構成されている。また、操作パネル９の上部左側には、ＱＲコード１３が付されていて、このＱＲコード１３には、電子レンジ２の機種情報（本実施形態では、「Ａ社製Ｂタイプ  最大出力１０００Ｗ」とする）がコード化されている。
【００１３】
図３（ａ）、（ｂ）は、携帯電話機３の外観を示した図である。携帯電話機３は、第１の本体部３ａと第２の本体部３ｂとがヒンジ部３ｃで連結され、折り畳み可能に構成されている。図３（ａ）は、第１の本体部３ａと第２の本体部３ｂとが開かれた状態を示し、図３（ｂ）は、第１の本体部３ａと第２の本体部３ｂとが折り畳まれた状態を示している。図３（ａ）に示すように、第１の本体部３ａには、通話ボタンや撮影ボタンなどを含む複数の操作ボタン１４ａからなる操作部１４とマイク部１５とが備えられていると共に、第２の本体部３ｂには、メイン表示部１６と赤外線信号送信部１７（加熱情報送信手段に相当）とスピーカー部１８とが備えられている。さらに、第２の本体部３ｂには、図３（ｂ）に示すように、カメラ部１９（撮像手段に相当）とサブ表示部２０とが備えられている。
【００１４】
次に、電子レンジ２および携帯電話機３の電気的構成について図４および図５を参照して説明する。図４は、電子レンジ２の電気的な構成を機能ブロックとして示した図である。電子レンジ用制御回路２１には、上記した操作部１０、表示部１１および赤外線信号受信部１２が接続されていると共に、マイクロ波加熱装置２２（加熱手段に相当）、ヒータ加熱装置２３（加熱手段に相当）、赤外線温度センサ２４およびブザー報知装置２５が接続されている。
【００１５】
電子レンジ用制御回路２１（加熱制御手段に相当）は、マイクロコンピュータを中心としてＲＯＭ，ＲＡＭなどを備えて構成されていて、制御プログラムを実行することにより、マイクロ波加熱装置２２やヒータ加熱装置２３の加熱制御のみならず電子レンジ２の動作全般を制御する。
【００１６】
操作部１０の操作キー１０ａが操作されると、これに対応して加熱を開始させる旨の信号や設定された調理モードの情報などが電子レンジ用制御回路２１に検出される。表示部１１は、電子レンジ用制御回路２１から受信した調理モードの情報などを表示する。赤外線信号受信部１２は、受信した赤外線信号を電子レンジ用制御回路２１に出力する。マイクロ波加熱装置２２は、導波管（図示せず）を通してマイクロ波を加熱室７へ供給することにより、加熱室７内の被加熱物をレンジ調理する。ヒータ加熱装置２３は、加熱室７内に熱風を循環させたり輻射熱を発生させることにより、加熱室７内の被加熱物をオーブン加熱またはグリル加熱する。赤外線温度センサ２４は、加熱室７内の被加熱物の温度を検出して電子レンジ用制御回路２１に出力する。ブザー報知装置２５は、電子レンジ用制御回路２１から信号（例えば調理が終了した旨の信号）を受信するとブザー音を発して、調理が終了した旨を報知する。
【００１７】
図５は、携帯電話機３の電気的な構成を機能ブロックとして示した図である。携帯電話機用制御回路２６には、上記した操作部１４、マイク部１５、メイン表示部１６、赤外線信号送信部１７、スピーカー部１８、カメラ部１９およびサブ表示部２０が接続されていると共に、通信部２７と記憶部２８（機種情報記憶手段に相当）が接続されている。
【００１８】
携帯電話機用制御回路２６（識別手段、復号手段、機種情報抽出手段、食品情報抽出手段、加熱情報取得手段および加熱情報変換手段に相当）は、マイクロコンピュータを中心としてＲＯＭ，ＲＡＭなどを備えて構成されていて、制御プログラムを実行することにより携帯電話機３の動作全般を制御する。ここで、携帯電話機用制御回路２６は、後述する機種情報抽出処理、食品情報抽出処理、加熱情報取得処理および加熱情報変換処理のプログラムを実行することにより、機種情報抽出手段、食品情報抽出手段、加熱情報取得手段および加熱情報変換手段の機能を担うものである。
【００１９】
操作部１４の操作ボタン１４ａが操作されると、これに対応する操作信号が携帯電話機用制御回路２６に検出される。マイク部１５は、入力された音声を信号に変換して携帯電話機用制御回路２６に出力する。メイン表示部１６は、例えば液晶ディスプレイから構成され、携帯電話機３が開かれている状態において、携帯電話機用制御回路２６から与えられる表示信号に対してこれを表示する。
【００２０】
赤外線信号送信部１７は、携帯電話機用制御回路２６から入力された信号を赤外線信号として外部に送信する。スピーカー部１８は、携帯電話機用制御回路２６から入力された信号を音声に変換して外部に出力する。カメラ部１９は、例えばＣＣＤカメラから構成され、撮影した画像データを携帯電話機用制御回路２６に出力する。サブ表示部２０は、例えば液晶ディスプレイから構成され、携帯電話機３が折り畳まれている状態において、携帯電話機用制御回路２６から与えられる表示信号に対してこれを表示する。
通信部２７は、所定の通信プロトコルに基づいて、インターネット５との接続や、携帯電話回線との通信処理を行う。記憶部２８は、例えば不揮発性メモリから構成され、後述する機種情報を含め各種の情報を記憶する。
【００２１】
また、被加熱物である食品２９（図１参照）には、図６に示すように、そのパッケージ上にＱＲコード３０が付されていて、このＱＲコード３０には、食品２９の食品情報（Ｃ弁当）がコード化されている。
【００２２】
次に、本実施形態の作用について図７ないし図９を参照して説明する。まず、食品２９の加熱調理を行うに当たって電子レンジ２の機種情報を抽出する場合の携帯電話機用制御回路２６の制御内容を、図７を用いて説明する。電子レンジ２のＱＲコード１３がカメラ部１９により撮影されると（ステップＳ１）、携帯電話機用制御回路２６は、撮影された画像データからＱＲコード１３を識別する（ステップＳ２）。次に、携帯電話機用制御回路２６は、識別したＱＲコード１３を復号し（ステップＳ３）、復号した情報からアプリケーションサーバ４ａのＵＲＬ（Uniform Resource Locator）を抽出する（ステップＳ４）。そして、携帯電話機用制御回路２６は、抽出したＵＲＬを元に通信部２７を介してアプリケーションサーバ４ａに接続し（ステップＳ５）、アプリケーションサーバ４ａから上記したプログラムをダウンロードする（ステップＳ６）。続いて、機種情報抽出処理を実行して復号した情報から機種情報（Ａ社製Ｂタイプ  最大出力１０００Ｗ）を抽出する（ステップＳ７）。最後に、携帯電話機用制御回路２６は、抽出した機種情報（Ａ社製Ｂタイプ  最大出力１０００Ｗ）を記憶部２８に記憶する（ステップＳ８）。
【００２３】
次に、食品２９の加熱調理を行う場合の携帯電話機用制御回路２６の制御内容を、図８を用いて説明する。食品２９に付されたＱＲコード３０がカメラ部１９により撮影されると（ステップＳ１１）、携帯電話機用制御回路２６は、撮影された画像データからＱＲコード３０を識別する（ステップＳ１２）。次に、携帯電話機用制御回路２６は、識別したＱＲコード３０を復号し（ステップＳ１３）、食品情報抽出処理を実行することにより復号した情報から食品情報（Ｃ弁当）を抽出する（ステップＳ１４）。そして、上記した機種情報（Ａ社製Ｂタイプ  最大出力１０００Ｗ）を記憶部２８から読み込む（ステップＳ１５）。続いて、携帯電話機用制御回路２６は、加熱情報取得処理を実行することにより、インターネット５を介してデータサーバ４ｂに接続（ステップＳ１６）して食品情報（Ｃ弁当）に対応した加熱情報（５００Ｗ１２０秒）を取得する（ステップＳ１７）。次に、携帯電話機用制御回路２６は、加熱情報変換処理を実行することにより、上記した機種情報（最大出力１０００Ｗ）に基づいて、取得した加熱情報（５００Ｗ１２０秒）を当該機種に最適な加熱情報（１０００Ｗ６０秒、機種対応加熱情報に相当）に変換する（ステップＳ１８）。そして、変換した加熱情報（１０００Ｗ６０秒）を、赤外線信号送信部１７を介して電子レンジ２に送信する（ステップＳ１９）。
【００２４】
次に、食品２９の加熱調理を行う場合の電子レンジ用制御回路２１の制御内容を、図９を用いて説明する。電子レンジ用制御回路２１は、操作部１０を介して加熱情報の設定が行われたか否かを監視し（ステップＳ２１）、設定が行われたと判断すると（ステップＳ２１で「ＹＥＳ」）、設定された加熱情報を表示部１１に表示する（ステップＳ２２）。一方、設定が行われていないと判断すると（ステップＳ２１で「ＮＯ」）、赤外線信号受信部１２を介して携帯電話機３から加熱情報が受信されたか否かを監視する（ステップＳ２３）。そして、加熱情報が受信されたと判断すると（ステップＳ２３で「ＹＥＳ」）、受信した加熱情報（この場合、１０００Ｗ６０秒）を表示部１１に表示する（ステップＳ２２）。一方、加熱情報が受信されていないと判断すると（ステップＳ２３で「ＮＯ」）、再び、操作部１０を介して加熱情報の設定が行われたか否かを監視する（ステップＳ２１）。
【００２５】
電子レンジ用制御回路２１は、上記したステップＳ２２にて加熱情報を表示した後は、加熱開始の操作が行われたか否か（操作部１０から加熱を開始させる旨の信号が入力されたか否か）を監視する（ステップＳ２４）。そして、加熱開始の操作が行われたと判断すると（ステップＳ２４で「ＹＥＳ」）、設定された加熱情報（この場合、１０００Ｗ６０秒）に基づいて食品２９の加熱調理を実行する（ステップＳ２５）。一方、加熱開始の操作が行われていないと判断すると（ステップＳ２４で「ＮＯ」）、再び加熱開始の操作が行われたか否かを監視する（ステップＳ２４）。
【００２６】
以上に説明したように本実施形態によれば、食品２９に付されたＱＲコード３０から食品情報を得ることや情報を送信することは、コードの読取機能と信号送信機能を有する既存の携帯電話機３を利用して行うことができる。
これにより、携帯電話機３としては、既存の携帯電話機に、機種情報抽出処理、食品情報抽出処理、加熱情報取得処理および加熱情報変換処理のプログラムを備えるのみでよく、一方、電子レンジ２としても、加熱情報を受信するための赤外線信号受信部１２を備えるのみでよいので、電子レンジ２に読取装置を設けることなく食品２９に付されたＱＲコード３０に含まれる情報に基づいて加熱情報を取得し加熱を行うことを既存の構成を利用して低コストで実現することができる。
【００２７】
また、加熱情報をデータサーバ４ｂから取得するように構成したので、加熱情報をデータサーバ４ｂにおいて一括して管理することができ、加熱情報を容易に変更することができる。これにより、食品２９についての加熱情報を、夏は温めの加熱情報（例えば、上記した加熱時間マイナス１０秒）、冬は熱めの加熱情報（例えば、上記した加熱時間プラス１０秒）に変更して、季節に適した食品２９の加熱情報を取得することができる。また、食品２９を出荷した後においても、加熱情報を変更することができる。
【００２８】
さらに、得られた食品情報を機種情報に対応した機種対応加熱情報に変換するように構成したので、その機種の性能をより有効に活用することができる。例えば、本実施形態では、データサーバ４ｂから取得された加熱情報（５００Ｗ１２０秒）を、この機種に対応した機種対応加熱情報（１０００Ｗ６０秒）に変換して使用することにより、最大出力１０００Ｗという性能を有効に活用することができると共に、変換前の加熱情報で加熱した場合と同一の熱量を半分の時間で得ることができ、加熱時間を短縮することができる。
【００２９】
機種情報抽出処理、食品情報抽出処理、加熱情報取得処理および加熱情報変換処理のプログラムは、アプリケーションサーバ４ａからダウンロードして既存の携帯電話機に容易に備えることができる。また、このプログラムをアプリケーションサーバ４ａで一括して管理でき、プログラムのバージョンアップや仕様変更なども容易に行うことができる。
加熱情報を赤外線信号として送受信するように構成したので、電子レンジ２の動作中に発生する微弱な電波の影響を受けることなく加熱情報の送受信を行うことができる。また、赤外線通信とすることにより送受信を安価な構成で実現することができる。
【００３０】
抽出した機種情報を記憶部２８に記憶するように構成したので、一旦、機種情報を抽出しておけば、加熱調理を行う度に機種情報を読み取る必要がない。
尚、本実施形態は、取得した加熱情報を機種情報に基づいて変換して使用するものであるが、図８のステップＳ１９において変換前と変換後の双方の加熱情報を送信し、図９のステップＳ２２において変換前と変換後の双方の加熱情報を表示することにより、ユーザが何れかの加熱情報を選択できるように構成してもよい。
【００３１】
（第２の実施形態）
以下、本発明の第２の実施形態について、図１０を参照して説明する。尚、上記した第１の実施形態に記載したものと同一部分については説明を省略し、以下、異なる部分についてのみ説明する。上記した第１の実施形態に記載したものにおいて、データサーバ４ｂ（図１参照）は、加熱情報が食品情報に対応付けられて格納されているものであったが、この第２の実施形態においては、データサーバ４ｂは、加熱情報が食品情報のみならず機種情報にも対応付けられて格納されている。具体的に説明すると、例えば、食品情報＝「Ｃ弁当」と機種情報＝「Ａ社製Ｂタイプ  最大出力１０００Ｗ」に対応付けられて、加熱情報＝「１０００Ｗ６０秒」 が格納されている。
【００３２】
そして、携帯電話機３には、上記した第１の実施形態に記載したものと同様にして、機種情報抽出処理、食品情報抽出処理および加熱情報取得処理のプログラムがダウンロードされている。また、機種情報抽出処理により抽出された電子レンジ２の機種情報（Ａ社製Ｂタイプ  最大出力１０００Ｗ）が記憶部２８に記憶されている。
【００３３】
次に、第２の実施形態の作用について、図１０を参照して説明する。図１０は、食品２９の加熱調理を行う場合の携帯電話機用制御回路２６の制御内容を示したフローチャートである。食品２９に付されたＱＲコード３０がカメラ部１９により撮影されると（ステップＳ３１）、携帯電話機用制御回路２６は、撮影された画像データからＱＲコード３０を識別する（ステップＳ３２）。次に、携帯電話機用制御回路２６は、識別したＱＲコード３０を復号し（ステップＳ３３）、食品情報抽出処理を実行することにより復号した情報から食品情報（Ｃ弁当）を抽出する（ステップＳ３４）。そして、上記した機種情報（Ａ社製Ｂタイプ  最大出力１０００Ｗ）を記憶部２８から読み込む（ステップＳ３５）。続いて、携帯電話機用制御回路２６は、加熱情報取得処理を実行することにより、データサーバ４ｂに接続（ステップＳ３６）して食品情報（Ｃ弁当）と機種情報（Ａ社製Ｂタイプ  最大出力１０００Ｗ）に対応した加熱情報（１０００Ｗ６０秒、機種対応加熱情報に相当）を取得する（ステップＳ３７）。そして、取得した機種対応加熱情報（１０００Ｗ６０秒）を、赤外線信号送信部１７を介して電子レンジ２に送信する（ステップＳ３８）。
【００３４】
電子レンジ２は機種対応加熱情報（１０００Ｗ６０秒）を受信すると、上記した第１の実施形態に記載したものと同様にして、この機種対応加熱情報に基づいて食品２９の加熱調理を実行する。
【００３５】
以上に説明したように第２の実施形態においても、食品２９に付されたＱＲコード３０から食品情報を得ることや情報を送信することは、コードの読取機能と信号送信機能を有する既存の携帯電話機を利用して行うことができ、第１の実施形態に記載したものと同様に、電子レンジ２に読取装置を設けることなく食品２９に付されたＱＲコード３０に含まれる情報に基づいて加熱情報を取得し加熱を行うことを既存の構成を利用して低コストで実現することができる。
【００３６】
また、データサーバ４ｂから機種対応加熱情報を取得するように構成したので、データサーバ４ｂにおいて、食品情報のみならず機種情報をも関連付けて木目細かく、しかも、容易に加熱情報を設定、変更することができる。
【００３７】
（その他の実施形態）
尚、本発明は、上記し且つ図面に示す実施形態に限定されるものではなく、次のように変形または拡張することができる。
【００３８】
記憶部２８に機種情報を記憶している場合であっても、新たに機種情報が取得された場合には、その機種情報に基づいて加熱情報を変換する構成であってもよい。また、抽出した機種情報を記憶せず、加熱調理を行う度に機種情報を抽出する構成であってもよい。
機種情報抽出処理や加熱情報変換処理のプログラムは必要に応じて備えればよく、機種情報に基づいて加熱情報を変換しない構成であってもよい。また、加熱情報変換処理のプログラムを電子レンジ２に備え、電子レンジ２において加熱情報を変換する構成であってもよい。
【００３９】
加熱情報の送受信は、赤外線信号によるものではなく、例えばＢｌｕｅｔｏｏｔｈ（登録商標）を利用した電波信号によるものであってもよい。
アプリケーションサーバ４ａのＵＲＬや機種情報がコード化されているＱＲコード１３は、例えば電子レンジ２の取扱説明書やカタログなどに付しておいてもよい。
また、データサーバ４ｂのＵＲＬは、予めプログラムに組み込んでおく構成であってもよいし、コードから抽出する構成であってもよい。
上記した各プログラムを予め携帯電話機３に組み込んでおく構成であってもよい。
【００４０】
食品情報と共に加熱情報もＱＲコード３０にコード化することにより、データサーバ４ｂを設けない構成であってもよい。また、コードはＱＲコードに限らず、他の２次元コードであってもよいし、バーコードなどであってもよい。
【図面の簡単な説明】
【００４１】
【図１】本発明の第１の実施形態を示す全体構成図
【図２】電子レンジの外観斜視図
【図３】携帯電話機の外観斜視図
【図４】電子レンジの電気的構成を示す機能ブロック図
【図５】携帯電話機の電気的構成を示す機能ブロック図
【図６】ＱＲコードを付した食品の外観図
【図７】機種情報を抽出する場合の携帯電話機用制御回路の制御内容を示すフローチャート
【図８】加熱調理を行う場合の携帯電話機用制御回路の制御内容を示すフローチャート
【図９】加熱調理を行う場合の電子レンジ用制御回路の制御内容を示すフローチャート
【図１０】本発明の第２の実施形態を示す図８相当図
【符号の説明】
【００４２】
図面中、１は加熱調理システム、２は電子レンジ（加熱調理装置）、３は携帯電話機（携帯端末装置）、４ａはアプリケーションサーバ（アプリケーション提供手段）、４ｂはデータサーバ（加熱情報提供手段）、１２は赤外線信号受信部（加熱情報受信手段）、１７は赤外線信号送信部（加熱情報送信手段）、１９はカメラ部（撮像手段）、２１は電子レンジ用制御回路（加熱制御手段）、２２はマイクロ波加熱装置（加熱手段）、２３はヒータ加熱装置（加熱手段）、２６は携帯電話機用制御回路（識別手段、復号手段、機種情報抽出手段、食品情報抽出手段、加熱情報取得手段、加熱情報変換手段）、２８は記憶部（機種情報記憶手段）を示す。
【図１】
2006275489.tif 000003
【図２】
2006275489.tif 000004
【図３】
2006275489.tif 000005
【図４】
2006275489.tif 000006
【図５】
2006275489.tif 000007
【図６】
2006275489.tif 000008
【図７】
2006275489.tif 000009
【図８】
2006275489.tif 000010
【図９】
2006275489.tif 000011
【図１０】
2006275489.tif 000012